(57)【特許請求の範囲】
【請求項１】
本体ケーシングと、
上記本体ケーシングの先端部において遊転可能な状態で設けられる鋼製の指圧球と、
上記本体ケーシングの基部側において固定状態で設けられる固定マグネットと、
上記固定マグネットと対向する離間位置に設けられ、上記指圧球と一体に叩打方向に往
復移動可能な状態で設けられる可動マグネットと、
上記固定マグネットと可動マグネットの中間部に設けられる回転体と、
上記回転体を回転させるモータと、を具備し
上記可動マグネットは固定マグネットに対して磁力が反発する向きで設けられており、
上記回転体の一部には上記可動マグネットと吸着する磁性材が設けられていることを特徴とする身体マッサージ具。
【請求項２】
磁性材は上記回転体の外周面から退去した位置に設けられていることを特徴とする請求項１記載の身体マッサージ具。
【請求項３】
本体ケーシング内には上記可動マグネットと回転体との当接状態を回避するストッパが設けられていることを特徴とする請求項１〜２のいずれかに記載の身体マッサージ具。
【発明の詳細な説明】
【技術分野】
【０００１】
本発明は、小型で持ち運びが可能な身体マッサージ具に係り、特に、モータへの負荷が小さく、マッサージ効果の高いマグネット式の身体マッサージ具に関する。
【背景技術】
【０００２】
小型で持ち運びが可能なマグネット式の身体マッサージ具としては、下記の特許文献１、２、３に示すように種々の構造のものが提案されている。
特許文献１では、モータとモータの回転を往復運動に変換する動力変換機構とを備えた把持部と、内部に永久磁石を固定状態で備え、先端部に上記永久磁石によって吸着された状態の鋼球を備えた可動式のホルダとが直線状に配置されたハンディータイプの電動マッサージ器が開示されている。
【０００３】
特許文献２では、モータと、モータの出力軸に設けられる回転マグネットと、上記回転マグネットの回転によって上記モータの出力軸と直交する方向に往復移動するスライドバーと、スライドバーの先端部に設けられる叩部とを備えた、側面視Ｌ字形のハンディータイプのマッサージ器が開示されている。
特許文献３では、モータと、モータの出力軸に設けられる回転マグネットと、上記回転マグネットの回転によって上記モータの出力軸と直交する方向に往復移動するマグネットピンとを備えた、側面視Ｌ字形のハンディータイプの磁気指圧器が開示されている。
【０００４】
【特許文献１】特開平７−５１３９３号公報
【特許文献２】実開昭５７−３４２１９号公報
【特許文献３】実開昭５７−７５４１号公報
【発明の開示】
【発明が解決しようとする課題】
【０００５】
上記従来の身体マッサージ具によると、次のような問題があった。まず、特許文献１に係る電動マッサージ器は直棒状の形状をしているため、手で持っての使用に限定され、床面や椅子の座面あるいは背もたれに設置しての使用は不可能である。また、鋼球の出没方向がモータの軸方向と一致しており、叩打時に鋼球にかかる負荷が直接、モータの出力軸に対して軸方向に作用する構造になっていた。
【０００６】
特許文献２に係るマッサージ器と、特許文献３に係る磁気指圧器は、ともに側面視Ｌ字形をしており、主に肩叩き用に使用される構造になっており、上記特許文献１の場合と同様、用途に限定がある。
また、両者は駆動側のマグネットの回転を利用して従動側のマグネットの吸着方向を直接、切り替えるという構造を採用しているため、叩打時にかかる負荷がモータの出力軸に対して曲げ方向に作用する構造になっていた。
【０００７】
本発明はこのような点に基づいてなされたものでその目的とするところは、小型で持ち運びが可能で、種々の使用形態に対応でき、且つ、モータへの負荷が小さく、マッサージ効果の高いマグネット式の身体マッサージ具を提供することにある。
【課題を解決するための手段】
【０００８】
上記目的を達成するべく本発明の請求項１による身体マッサージ具は、本体ケーシングと、上記本体ケーシングの先端部において遊転可能な状態で設けられる鋼製の指圧球と、上記本体ケーシングの基部側において固定状態で設けられる固定マグネットと、上記固定マグネットと対向する離間位置に設けられ、上記指圧球と一体に叩打方向に往復移動可能な状態で設けられる可動マグネットと、上記固定マグネットと可動マグネットの中間部に設けられる回転体と、上記回転体を回転させるモータと、を具備し上記可動マグネットは固定マグネットに対して磁力が反発する向きで設けられており、上記回転体の一部には上記可動マグネットと吸着する磁性材が設けられていることを特徴とするものである。
【０００９】
また、請求項２による身体マッサージ具は、請求項１記載の身体マッサージ具において、上記磁性材は上記回転体の外周面から退去した位置に設けられていることを特徴とするものである。
【００１０】
また、請求項３による身体マッサージ具は、請求項１〜２のいずれかに記載の身体マッサージ具において、上記本体ケーシング内には上記可動マグネットと回転体との当接状態を回避するストッパが設けられていることを特徴とするものである。
【００１１】
そして、上記手段によって以下のような作用が得られる。まず、ユーザが直接、手で保持したり、平面部に設置した状態で使用可能な本体ケーシングの採用によって、ユーザが直接、手で持って使用する他、床面に設置したり、座席の座面や背もたれ等に設置して使用することが可能になる。
また、鋼球の指圧球の採用によって当接部位の円滑な移動と、当接部位に優しいマッサージ効果が得られ、指圧球からの磁力線の作用で、当接部位の血行の促進が図られる。
【００１２】
また、可動マグネットと固定マグネットとの反発力によって指圧球の突出状態が形成され、一方のマグネットを固定マグネットとしたことによって可動マグネットの可動範囲が拡大する。
【００１３】
また、回転体の一部に設けた磁性材が可動マグネットと対向することによって可動マグネットを吸着する吸着力が発生し、指圧球の退去状態が形成される。
また、指圧球を当接部位に強く押し当てることによって可動マグネットと、該可動マグネットに当接する回転体とを固定マグネット側に移動させようとする力が発生するが、回転体と固定マグネットとの間のクリアランスは極めて小さく設定されているから、回転体に作用する力は固定マグネットに当接することによって吸収され、モータの出力軸に作用する負荷はごく僅かである。また、可動マグネットと固定マグネットとの反発力によって指圧球が突出状態となっているので、クッション作用が働いて、可動マグネットと、該可動マグネットに当接する回転体とを固定マグネット側に移動させようとする力を吸収するからモータの出力軸に作用する負荷はごく僅かである。さらに、回転体の外周面の一部に上面が臨んでいる磁性材を設けたから、モータの出力軸に偏心荷重がかからず、よって、モータの出力軸に作用する負荷はごく僅かである。したがって、モータへの負荷をごく小さくすることができる。
【００１４】
また、上記磁性材を回転体の外周面から退去した位置に設けた場合には、磁性材に吸着した状態の可動マグネットを磁性材から引き離す際に要する力が小さくて済む。また、可動マグネットと磁性材は常時、非接触状態になるため、磁性材の摩耗等が防止される。
【００１５】
また、本体ケーシング内に可動マグネットと回転体との当接状態を回避するストッパを設けた場合には、指圧球を当接部位に強く押し当てることによって可動マグネットを固定マグネット側に移動させようとする力が発生しても、発生した当該力は上記ストッパによって吸収されるため回転体やモータの出力軸には上記力は作用しない。従って、モータの寿命を一層長くすることができる。
【発明の効果】
【００１６】
本発明の身体マッサージ具によると、小型で持ち運びが可能で、種々の使用状態に対応でき、且つ、モータへの負荷が小さいことに伴ってモータの寿命を長くしたり、小型モータの採用を可能にする。また、指圧球の突出、退去のストロークが長くなるため、叩打作用が高まってマッサージ効果を増大させ、鋼製の指圧球の採用によって磁力線によるマッサージ効果も得られるようになる。
【発明を実施するための最良の形態】
【００１７】
以下、図示の実施の形態を例にとって、本発明を実施するための最良の形態を説明する。
図１は本発明の身体マッサージ具の外観を示す斜視図、図２は本発明の身体マッサージ具の内部構造を示す指圧球が退去状態の側断面図、図３は同上、指圧球が突出状態の側断面図、図４は図２中のＡ−Ａ線における断面図、図５は図２中のＢ−Ｂ線における断面図である。
【００１８】
本発明の身体マッサージ具１は、ユーザＡが直接、手Ｂで保持したり、平面部Ｃに設置した状態で使用可能な本体ケーシング３と、上記本体ケーシング３の先端部５において遊転可能な状態で設けられる鋼製の指圧球７と、上記本体ケーシング３の基部９側において固定状態で設けられる固定マグネット１１と、上記固定マグネット１１と対向する離間位置に設けられ、上記指圧球７と一体に叩打方向Ｄに往復移動可能な状態で設けられる可動マグネット１３と、上記固定マグネット１１と可動マグネット１３の中間部に設けられる回転体１５と、上記回転体１５を回転させるモータ１７と、を具備している。
【００１９】
本体ケーシング３は先端部５に指圧球７を受け入れる穴部１９が形成されている円錐台形状の本体部２１と、該本体部２１の基端側に取り付けられる蓋様の基部９を備えることによって構成されている。
本体部２１の傾斜した外周面の一部にはモータ１７を起動するためのスイッチ２３の操作部２４が設けられており、本体部２１の内部には上記指圧球７を叩打方向Ｄに往復移動させるための駆動装置の収容空間２５が一例として上記穴部１９と連通するように形成されている。
【００２０】
一方、基部９は上記本体部２１の収容空間２５の基端側の開口部に一例としてねじ込みにより閉塞する蓋状の部材で、基部９の下面にはゴムまたはスポンジ等の弾性材料製のクッション材２７が装着されている。因みにクッション材２７を装着することによって、本発明の身体マッサージ具１を床や畳等の平面部Ｃに設置して使用する場合や椅子Ｅに座った姿勢で足の裏、背中、腰あるいは大腿部等のマッサージをする場合に身体マッサージ具１の滑りを防止できる。
また、基部９の上面側には上記本体部２１の基端側に設けられている凸部２２を受け入れる凹部２９が形成されており、該凹部２９の中心に固定マグネット１１を固定状態で保持するマグネットホルダ３１が設けられている。
【００２１】
指圧球７はユーザＡがマッサージを行いたい当接部位に押し当てられてマッサージ作用を直接行う球体形状の部材である。そして、指圧球７は上記穴部１９からその一部が突出した遊転可能な状態で設けられている。尚、上記指圧球７は鋼性であり、後述する可動マグネット１３のＮ極側である上面３３に常時吸着し、可動マグネット１３と一体になって叩打方向Ｄに往復移動できるようになっている。
固定マグネット１１は上述したマグネットホルダ３１によって固定状態で保持される一例として短寸円柱形状のマグネットであり、指圧球７の所望の往復動作を実行するに足りる磁力を備えた種々のタイプの磁石が適用可能である。また、本実施の形態では固定マグネット１１の上面３７にＳ極、下面３９にＮ極を配置している。
【００２２】
可動マグネット１３は上記収容空間２５の上部において、指圧球７の叩打方向Ｄに往復移動可能な状態で設けられている、一例として短寸円柱形状のマグネットである。また、可動マグネット１３に使用するマグネットは上記固定マグネット１１を同様、指圧球７の所望の往復動作を実行するに足りる磁力を備えた種々のタイプの磁石が適用可能である。
また、本実施の形態では可動マグネット１３の上面３３に上述したようにＮ極、そして下面３５にＳ極がそれぞれ配置されており、可動マグネット１３が磁石の反発によって対向する固定マグネット１１から離反する方向に常時力を受け、指圧球７が無負荷状態で突出方向に位置するように構成されている。
【００２３】
また、上記可動マグネット１３は一例として樹脂製で円環状のガイドリング４１によって外周部が一体に保持されており、該ガイドリング４１の上面側の周縁が上記穴部１９と収容空間２５との間に形成されている段差部４３に当接することによって可動マグネット１３の突出方向の移動量が規制されている。
【００２４】
回転体１５は一例として樹脂製の短寸円柱形状をした部材であり、その中心にはモータ１７の出力軸４５を受け入れる孔部４７が刻設されている。また、上記回転体１５の外周面の一部には上記孔部４７に貫通する半径方向に延びる取付け穴部４９が形成されており、該取付け穴部４９には上記可動マグネット１３の下面３５に吸着する一例として鉄材によって形成されている磁性材５１が挿嵌されている。
尚、上記磁性材５１は細径丸棒状の部材であり、その上部５３は上記回転体１５の外周面から０．５〜１ｍｍ程度退去した位置に設けられている。
この他、本体ケーシング３の本体部２１における収容空間２５内には、上記スイッチ２３からの指令に基づいて上記モータ１７に電力を供給するバッテリー５５等が設けられている。
【００２５】
以上の構成を基に本発明の身体マッサージ具１の作用を説明する。
図６は本発明の身体マッサージ具を手で保持して使用する場合を示す側面図、図７は同上、床に設置して椅子に腰掛けた姿勢で足裏のマッサージに使用する場合を示す側面図、図８は同上、床に設置して仰むけに寝た姿勢で背中のマッサージに使用する場合を示す側面図、図９は同上、椅子に設置して椅子に腰掛けた姿勢で腰のマッサージに使用する場合を示す側面図である。
最初に図６に示すように本発明の身体マッサージ具１を手Ｂで保持して使用する場合について説明する。
【００２６】
この場合には、ユーザＡは図６に示すように基部９を手のひらで覆うようにして身体マッサージ具１を掴み、指でスイッチ２３の操作部２４を操作してモータ１７を回転させる。
ユーザＡはマッサージを行いたい部位に指圧球７を押し当て、適宜、当接部位に沿って身体マッサージ具１をスライドさせることによって、身体の硬直部分等のマッサージを行う。
【００２７】
モータ１７の出力軸４５の回転は回転体１５に伝達され、回転体１５は所定の回転数で回転するようになる。そして、回転体１５の外周面の一部に上面５３が臨んでいる磁性材５１が可動マグネット１３の下面３５と対向した時に可動マグネット１３が磁性材５１に吸着されて図２に示す退去状態になり、その他の位置関係の時には固定マグネット１１と可動マグネット１３間の磁力の反発によって可動マグネット１３は突出状態となる。
以下、上記の作用を繰り返すことによってユーザＡの当接部位に押し当てられている指圧球７による叩打作用が実行され、指圧球７自体の磁力線効果が加わって所望のマッサージ効果が得られるようになる。
【００２８】
また、指圧球７は遊転状態で設けられているため、指圧球７が適宜、回転することによって身体に対する当接部位を、上記叩打作用を実行しながらスライド方向に移動させることが可能になっている。
また、指圧球７を当接部位に強く押し当てると、可動マグネット１３を固定マグネット１１側に移動させようとする力が可動マグネット１３に作用するが、可動マグネット１３と固定マグネット１１間に位置している回転体１５の存在によって、モータ１７の出力軸４５には動作に支障を来すような負荷がかからないようになっている。また、可動マグネット１３と固定マグネット１１との反発力によって指圧球７が突出状態となっているので、クッション作用が働いて、可動マグネット１３と、該可動マグネット１３に当接する回転体１５とを固定マグネット１１側に移動させようとする力を吸収するからモータ１７の出力軸４５に作用する負荷はごく僅かである。さらに、回転体１５の外周面の一部に上面が臨んでいる磁性材５１を設けたから、モータ１７の出力軸４５に偏心荷重がかからず、よって、モータ１７の出力軸４５に作用する負荷はごく僅かである。
【００２９】
次に、図７に示すように身体マッサージ具１を床上面の平面部Ｃに設置して、椅子Ｅに腰掛けた姿勢で足裏のマッサージを行う場合について説明する。この場合には、足裏の硬直部分を指圧球７に押し当てた状態で足をスライド方向に移動させることによってマッサージを行う。
この時、基部９の下面にはクッション材２７が設けられているので、身体マッサージ具１の床面上の滑りが防止されている。また、上記クッション材２７のクッション作用によって足裏にかかる衝撃が和らげられる。
【００３０】
また、図８に示すように身体マッサージ具１を床上面の平面部Ｃに設置して、ユーザＡが仰むけに寝た状態で背中のマッサージを行う場合や、図９に示すように身体マッサージ具１を椅子Ｅの背もたれの下部に設置して、ユーザＡが椅子Ｅに腰掛けた姿勢で腰のマッサージを行う場合には、上記と同様の作用に加えて、ユーザＡの上半身の体重による指圧効果が加わって、より効果的なマッサージが実行されるようになる。
【００３１】
尚、本発明の身体マッサージ具１は上記の形態に限定されず、その発明の要旨内での変更が可能である。例えば、本体ケーシング３の形状は図示の実施の形態のものに限らず、把手や操作杆が付いているもの等種々の形状のものが採用可能である。
また、指圧球７はその全てが鋼製である他、同様の作用が発揮される範囲でその一部を他の材料によって形成した複合材料や合金等でも構わない。
【００３２】
また、固定マグネット１１と可動マグネット１３の形状は短寸円柱形状に限らず短寸の矩形ブロック状の形状等、種々の形状が採用可能である。また、本体ケーシング３内に可動マグネット１３と回転体１５との当接状態を回避するストッパ５９等を図１０に示すように設けることが可能である。因みに上記のようなストッパ５９を設けた場合には、可動マグネット１３が回転体１５の外周面に当接することはないから、上記磁性材５１の上面５３の位置を回転体１５の外周面と同じレベルに設定することが可能となる。
そして、上記図１０に示す身体マッサージ具１Ａを使用した場合にも図１〜図９に示す身体マッサージ具１と同様の作用、効果が発揮される。
【産業上の利用可能性】
【００３３】
本発明は、家庭や職場あるいは宿泊先や交通機関等を利用して移動している場合等、種々の環境で使用することができる持ち運びが可能な身体マッサージ具の分野で利用でき、特にモータへの負荷を小さくしてマッサージ効果を上げたい場合に利用可能性を有する。
【図面の簡単な説明】
【００３４】
【図１】本発明の実施の形態を示す図で、身体マッサージ具の外観を示す斜視図である。
【図２】本発明の実施の形態を示す図で、身体マッサージ具の内部構造を示す指圧球が退去状態の側断面図である。
【図３】本発明の実施の形態を示す図で、身体マッサージ具の内部構造を示す指圧球が突出状態の側断面図である。
【図４】本発明の実施の形態を示す図で、図２中のＡ−Ａ線における断面図である。
【図５】本発明の実施の形態を示す図で、図２中のＢ−Ｂ線における断面図である。
【図６】本発明の実施の形態を示す図で、身体マッサージ具を手で保持して使用する場合を示す側面図である。
【図７】本発明の実施の形態を示す図で、身体マッサージ具を床に設置して椅子に腰掛けた姿勢で足裏のマッサージに使用する場合を示す側面図である。
【図８】本発明の実施の形態を示す図で、身体マッサージ具を床に設置して仰むけに寝た姿勢で背中のマッサージに使用する場合を示す側面図である。
【図９】本発明の実施の形態を示す図で、身体マッサージ具を椅子に設置して椅子に腰掛けた姿勢で腰のマッサージに使用する場合を示す側面図である。
【図１０】本発明の他の実施の形態を示す図で、本体ケーシング内にストッパを設けた身体マッサージ具を示す側断面図である。
【符号の説明】
【００３５】
１  身体マッサージ具
３  本体ケーシング
５  先端部
７  指圧球
９  基部
１１  固定マグネット
１３  可動マグネット
１５  回転体
１７  モータ
１９  穴部
２１  本体部
２２  凸部
２３  スイッチ
２４  操作部
２５  収容空間
２７  クッション材
２９  凹部
３１  マグネットホルダ
３３  上面
３５  下面
３７  上面
３９  下面
４１  ガイドリング
４３  段差部
４５  出力軸
４７  孔部
４９  取付け穴部
５１  磁性材
５３  上面
５５  バッテリー
５７  絶縁シート
５９  ストッパ
Ａ  ユーザ
Ｂ  手
Ｃ  平面部
Ｄ  叩打方向
Ｅ  椅子
【図１】
0005129032.tif 000002
【図２】
0005129032.tif 000003
【図３】
0005129032.tif 000004
【図４】
0005129032.tif 000005
【図５】
0005129032.tif 000006
【図６】
0005129032.tif 000007
【図７】
0005129032.tif 000008
【図８】
0005129032.tif 000009
【図９】
0005129032.tif 000010
【図１０】
0005129032.tif 000011